(57)【要約】  受信機ダイバーシティを適応的に無効にするための方法が提供される。方法は、無線通信デバイスがアクティブデータトラフィックパターンを判別することと、アクティブデータトラフィックパターンに対する閾値サービス品質をサポートするために必要な閾値チャネル品質に少なくとも部分的に基づき閾値チャネル品質メトリックを定義することと、測定されたチャネル品質を閾値チャネル品質メトリックと比較することと、測定されたチャネル品質メトリックが閾値チャネル品質メトリックを満たす場合に受信機ダイバーシティを無効にすることと、を含み得る。【選択図】  図１
2016516340.tif 000002
【特許請求の範囲】
【請求項１】
適応的に受信機ダイバーシティを無効にするための方法であって、前記方法は、無線通信デバイスが、
アクティブデータトラフィックパターンを判別することと、
前記アクティブデータトラフィックパターンに対する閾値サービス品質をサポートするために必要な閾値チャネル品質に少なくとも部分的に基づき閾値チャネル品質メトリックを定義することと、
測定されたチャネル品質を前記閾値チャネル品質メトリックと比較することと、
前記測定されたチャネル品質メトリックが前記閾値チャネル品質メトリックを満たす場合に受信機ダイバーシティを無効にすることと、
を含むことを特徴とする方法。
【請求項２】
前記アクティブデータトラフィックパターンを判別することは、前記無線通信デバイス上で実行されているアクティブなアプリケーションに関連付けられたデータトラフィックパターンを判別することを含む、
ことを特徴とする請求項１に記載の方法。
【請求項３】
前記閾値チャネル品質メトリックを定義することは、前記アクティブデータトラフィックパターンに対する前記閾値サービス品質をサポートするために必要な最小チャネル品質インジケータ（ＣＱＩ）を少なくとも維持するために必要なチャネル品質に少なくとも部分的に基づき、前記閾値チャネル品質メトリックを定義することを含む、
ことを特徴とする請求項１に記載の方法。
【請求項４】
前記閾値チャネル品質メトリックを定義することは、閾値信号対干渉雑音比（ＳＩＮＲ）を定義することを含み、かつ前記測定されたチャネル品質を前記閾値チャネル品質メトリックと比較することは、測定されたＳＩＮＲを前記閾値ＳＩＮＲと比較することを含む、
ことを特徴とする請求項１に記載の方法。
【請求項５】
前記閾値チャネル品質メトリックを定義することは、アプリケーション層のサービス品質（ＱｏＳ）測定値にさらに基づき、前記閾値チャネル品質メトリックを定義することを含む、
ことを特徴とする請求項１に記載の方法。
【請求項６】
前記アプリケーション層のＱｏＳ測定値にさらに基づき前記閾値チャネル品質メトリックを定義することは、前記アプリケーション層において測定された、測定されたラウンドトリップタイム（ＲＴＴ）に基づき前記閾値チャネル品質メトリックを定義することを含む、
ことを特徴とする請求項５に記載の方法。
【請求項７】
前記アプリケーション層のＱｏＳ測定値にさらに基づき前記閾値チャネル品質メトリックを定義することは、前記アプリケーション層において測定された、測定パケット損失率（ＰＬＲ）に基づき前記閾値チャネル品質メトリックを定義することを含む、
ことを特徴とする請求項５に記載の方法。
【請求項８】
前記閾値チャネル品質メトリックを定義することは、サービング基地局における負荷の測定された指標にさらに基づき、前記閾値チャネル品質メトリックを定義することを含む、
ことを特徴とする請求項１に記載の方法。
【請求項９】
受信機ダイバーシティを無効にすることの後に、
第２の測定されたチャネル品質を第２の閾値チャネル品質メトリックと比較することと、
前記第２の測定されたチャネル品質メトリックが前記第２の閾値チャネル品質メトリックを満たさない場合に受信機ダイバーシティを有効にすることと、
をさらに含むことを特徴とする請求項１に記載の方法。
【請求項１０】
前記測定されたチャネル品質メトリックが前記閾値チャネル品質メトリックを満たす場合であっても、測定されたアプリケーション層測定値が閾値アプリケーション層測定値を満たさない場合に受信機ダイバーシティを有効にすることをさらに含む、
ことを特徴とする請求項１に記載の方法。
【請求項１１】
前記測定されたアプリケーション層測定値が前記閾値アプリケーション層測定値を満たさない場合に受信機ダイバーシティを有効にすることは、測定されたラウンドトリップタイム（ＲＴＴ）が閾値ＲＴＴを上回る場合に受信機ダイバーシティを有効にすることを含む、
ことを特徴とする請求項１０に記載の方法。
【請求項１２】
前記測定されたアプリケーション層測定値が前記閾値アプリケーション層測定値を満たさない場合に受信機ダイバーシティを有効にすることは、測定されたパケット損失率（ＰＬＲ）が閾値ＰＬＲを上回る場合に受信機ダイバーシティを有効にすることを含む、
ことを特徴とする請求項１０に記載の方法。
【請求項１３】
無線通信デバイスであって、
無線ネットワークを介してデータを送受信するように構成された送受信機と、
前記送受信機に連結された処理回路であって、前記無線通信デバイスを制御して、少なくとも、
アクティブデータトラフィックパターンを判別し、
前記アクティブデータトラフィックパターンに対する閾値サービス品質をサポートするために必要な閾値チャネル品質に少なくとも部分的に基づき閾値チャネル品質メトリックを定義し、
測定されたチャネル品質を前記閾値チャネル品質メトリックと比較し、
前記測定されたチャネル品質メトリックが前記閾値チャネル品質メトリックを満たす場合に受信機ダイバーシティを無効にする
ように構成された処理回路と、
を備えることを特徴とする無線通信デバイス。
【請求項１４】
前記処理回路は、前記無線通信デバイスを制御して、前記アクティブデータトラフィックパターンに対する閾値サービス品質をサポートするために必要な最小チャネル品質インジケータ（ＣＱＩ）を少なくとも維持するために必要なチャネル品質に少なくとも部分的に基づき、前記閾値チャネル品質メトリックを定義するように構成されたことを特徴とする請求項１３に記載の無線通信デバイス。
【請求項１５】
前記処理回路は、前記無線通信デバイスを制御して、
少なくとも部分的に、閾値信号対干渉雑音比（ＳＩＮＲ）を定義することによって前記閾値品質メトリックを定義し、
少なくとも部分的に、測定されたＳＩＮＲを前記閾値ＳＩＮＲと比較することによって、前記測定されたチャネル品質を前記閾値チャネル品質メトリックと比較するように構成されたことを特徴とする請求項１３に記載の無線通信デバイス。
【請求項１６】
前記処理回路は、前記無線通信デバイスを制御して、アプリケーション層のサービス品質（ＱｏＳ）測定値にさらに基づき、前記閾値チャネル品質メトリックを定義するようにさらに構成されたことを特徴とする請求項１３に記載の無線通信デバイス。
【請求項１７】
前記処理回路は、前記無線通信デバイスを制御して、サービング基地局における負荷の測定された指標にさらに基づき、前記閾値チャネル品質メトリックを定義するようにさらに構成されたことを特徴とする請求項１３に記載の無線通信デバイス。
【請求項１８】
前記処理回路は、前記無線通信デバイスを制御して、前記測定されたチャネル品質メトリックが前記閾値チャネル品質メトリックを満たす場合であっても、測定されたアプリケーション層測定値が閾値アプリケーション層測定値を満たさない場合に受信機ダイバーシティを有効にするようにさらに構成されたことを特徴とする請求項１３に記載の無線通信デバイス。
【請求項１９】
受信機ダイバーシティを適応的に無効にするためのコンピュータプログラム製品であって、コンピュータプログラムコードを記憶している少なくとも１つの非一時的コンピュータ可読記憶媒体を備え、前記コンピュータプログラムコードは、
アクティブデータトラフィックパターンを判別するためのプログラムコードと、
前記アクティブデータトラフィックパターンに対する閾値サービス品質をサポートするために必要な閾値チャネル品質に少なくとも部分的に基づき閾値チャネル品質メトリックを定義するためのプログラムコードと、
測定されたチャネル品質を前記閾値チャネル品質メトリックと比較するためのプログラムコードと、
測定されたチャネル品質メトリックが前記閾値チャネル品質メトリックを満たす場合に受信機ダイバーシティを無効にするためのプログラムコードと、
を含む、
ことを特徴とするコンピュータプログラム製品。
【請求項２０】
前記アクティブデータトラフィックパターンを判別するための前記プログラムコードは、前記無線通信デバイス上で実行されているアクティブなアプリケーションに関連付けられたデータトラフィックパターンを判別するためのプログラムコードを含む、
ことを特徴とする請求項１９に記載のコンピュータプログラム製品。
【請求項２１】
前記閾値チャネル品質メトリックを定義するための前記プログラムコードは、前記アクティブデータトラフィックパターンに対する前記閾値サービス品質をサポートするために必要な最小チャネル品質インジケータ（ＣＱＩ）を少なくとも維持するために必要なチャネル品質に少なくとも部分的に基づき、前記閾値チャネル品質メトリックを定義するためのプログラムコードを含む、
ことを特徴とする請求項１９に記載のコンピュータプログラム製品。
【請求項２２】
前記閾値チャネル品質メトリックを定義するための前記プログラムコードは、閾値信号対干渉雑音比（ＳＩＮＲ）を定義するためのプログラムコードを含み、かつ前記測定されたチャネル品質を前記閾値チャネル品質メトリックと比較することは、測定されたＳＩＮＲを前記閾値ＳＩＮＲと比較することを含む、
ことを特徴とする請求項１９に記載のコンピュータプログラム製品。
【請求項２３】
前記閾値チャネル品質メトリックを定義するための前記プログラムコードは、アプリケーション層のサービス品質（ＱｏＳ）測定値にさらに基づき、前記閾値チャネル品質メトリックを定義するためのプログラムコードを含む、
ことを特徴とする請求項１９に記載のコンピュータプログラム製品。
【請求項２４】
前記アプリケーション層のＱｏＳ測定値にさらに基づき前記閾値チャネル品質メトリックを定義するための前記プログラムコードは、前記アプリケーション層において測定された、測定されたラウンドトリップタイム（ＲＴＴ）に基づき前記閾値チャネル品質メトリックを定義するためのプログラムコードを含む、
ことを特徴とする請求項２３に記載のコンピュータプログラム製品。
【請求項２５】
前記アプリケーション層のＱｏＳ測定値にさらに基づき前記閾値チャネル品質メトリックを定義するための前記プログラムコードは、前記アプリケーション層において測定された、測定されたパケット損失率（ＰＬＲ）に基づき前記閾値チャネル品質メトリックを定義するためのプログラムコードを含む、
ことを特徴とする請求項２３に記載のコンピュータプログラム製品。
【請求項２６】
前記閾値チャネル品質メトリックを定義するための前記プログラムコードは、サービング基地局における負荷の測定された指標にさらに基づき、前記閾値チャネル品質メトリックを定義するためのプログラムコードを含む、
ことを特徴とする請求項１９に記載のコンピュータプログラム製品。
【請求項２７】
受信機ダイバーシティを無効にすることの後に、第２の測定されたチャネル品質を第２の閾値チャネル品質メトリックと比較するためのプログラムコードと、
前記第２の測定されたチャネル品質メトリックが前記第２の閾値チャネル品質メトリックを満たさない場合に受信機ダイバーシティを有効にするためのプログラムコードと、
をさらに備えることを特徴とする請求項１９に記載のコンピュータプログラム製品。
【請求項２８】
前記測定されたチャネル品質メトリックが前記閾値チャネル品質メトリックを満たす場合であっても、測定されたアプリケーション層測定値が閾値アプリケーション層測定値を満たさない場合に受信機ダイバーシティを有効にするためのプログラムコードをさらに備える、
ことを特徴とする請求項１９に記載のコンピュータプログラム製品。
【請求項２９】
前記測定されたアプリケーション層測定値が前記閾値アプリケーション層測定値を満たさない場合に受信機ダイバーシティを有効にするためのプログラムコードは、測定されたラウンドトリップタイム（ＲＴＴ）が閾値ＲＴＴを上回る場合に受信機ダイバーシティを有効にするためのプログラムコードを含む、
ことを特徴とする請求項１９に記載のコンピュータプログラム製品。
【請求項３０】
前記測定されたアプリケーション層測定値が前記閾値アプリケーション層測定値を満たさない場合に受信機ダイバーシティを有効にするためのプログラムコードは、測定されたパケット損失率（ＰＬＲ）が閾値ＰＬＲを上回る場合に受信機ダイバーシティを有効にするためのプログラムコードを含む、
ことを特徴とする請求項１９に記載のコンピュータプログラム製品。
【請求項３１】
適応的に受信機ダイバーシティを無効にするための装置であって、
アクティブデータトラフィックパターンを判別するための手段と、
前記アクティブデータトラフィックパターンに対する閾値サービス品質をサポートするために必要な閾値チャネル品質に少なくとも部分的に基づき閾値チャネル品質メトリックを定義するための手段と、
測定されたチャネル品質を前記閾値チャネル品質メトリックと比較するための手段と、
前記測定されたチャネル品質メトリックが前記閾値チャネル品質メトリックを満たす場合に受信機ダイバーシティを無効にするための手段と、
を備えることを特徴とする装置。
【請求項３２】
前記アクティブデータトラフィックパターンを判別するための前記手段は、前記無線通信デバイス上で実行されているアクティブなアプリケーションに関連付けられたデータトラフィックパターンを判別するための手段を含む、
ことを特徴とする請求項３１に記載の装置。
【請求項３３】
前記閾値チャネル品質メトリックを定義するための前記手段は、前記アクティブデータトラフィックパターンに対する前記閾値サービス品質をサポートするために必要な最小チャネル品質インジケータ（ＣＱＩ）を少なくとも維持するために必要なチャネル品質に少なくとも部分的に基づき、前記閾値チャネル品質メトリックを定義するための手段を含む、
ことを特徴とする請求項３１に記載の装置。
【請求項３４】
前記閾値チャネル品質メトリックを定義するための前記手段は、閾値信号対干渉雑音比（ＳＩＮＲ）を定義するための手段を含み、かつ前記測定されたチャネル品質を前記閾値チャネル品質メトリックと比較することは、測定されたＳＩＮＲを前記閾値ＳＩＮＲと比較することを含む、
ことを特徴とする請求項３１に記載の装置。
【請求項３５】
前記閾値チャネル品質メトリックを定義するための前記手段は、アプリケーション層のサービス品質（ＱｏＳ）測定値にさらに基づき、前記閾値チャネル品質メトリックを定義するための手段を含む、
ことを特徴とする請求項３１に記載の装置。
【請求項３６】
前記アプリケーション層のＱｏＳ測定値にさらに基づき前記閾値チャネル品質メトリックを定義するための前記手段は、前記アプリケーション層において測定された、測定されたラウンドトリップタイム（ＲＴＴ）に基づき前記閾値チャネル品質メトリックを定義するための手段を含む、
ことを特徴とする請求項３５に記載の装置。
【請求項３７】
前記アプリケーション層のＱｏＳ測定値にさらに基づき前記閾値チャネル品質メトリックを定義するための前記手段は、前記アプリケーション層において測定された、測定されたパケット損失率（ＰＬＲ）に基づき前記閾値チャネル品質メトリックを定義するための手段を含む、
ことを特徴とする請求項３５に記載の装置。
【請求項３８】
前記閾値チャネル品質メトリックを定義するための前記手段は、サービング基地局における負荷の測定された指標にさらに基づき、前記閾値チャネル品質メトリックを定義するための手段を含む、
ことを特徴とする請求項３１に記載の装置。
【請求項３９】
受信機ダイバーシティを無効にすることの後に、第２の測定されたチャネル品質を第２の閾値チャネル品質メトリックと比較するための手段と、
前記第２の測定されたチャネル品質メトリックが前記第２の閾値チャネル品質メトリックを満たさない場合に受信機ダイバーシティを有効にするための手段と、
をさらに備えることを特徴とする請求項３１に記載の装置。
【請求項４０】
前記測定されたチャネル品質メトリックが前記閾値チャネル品質メトリックを満たす場合であっても、測定されたアプリケーション層測定値が閾値アプリケーション層測定値を満たさない場合に受信機ダイバーシティを有効にするための手段をさらに含む、
ことを特徴とする請求項３１に記載の装置。
【請求項４１】
前記測定されたアプリケーション層測定値が前記閾値アプリケーション層測定値を満たさない場合に受信機ダイバーシティを有効にするための手段は、測定されたラウンドトリップタイム（ＲＴＴ）が閾値ＲＴＴを上回る場合に受信機ダイバーシティを有効にするための手段を含む、
ことを特徴とする請求項３１に記載の装置。
【請求項４２】
前記測定されたアプリケーション層測定値が前記閾値アプリケーション層測定値を満たさない場合に受信機ダイバーシティを有効にするための手段は、測定されたパケット損失率（ＰＬＲ）が閾値ＰＬＲを上回る場合に受信機ダイバーシティを有効にするための手段を含む、
ことを特徴とする請求項３１に記載の装置。
【発明の詳細な説明】
【技術分野】
【０００１】
説明される実施形態は、全体として無線通信に関するものであり、より具体的には、受信機ダイバーシティの適応的使用に関するものである。
【背景技術】
【０００２】
無線アクセス技術（ＲＡＴ）が進化し続けることに伴い、無線ネットワークを介して送信されるデータに対して、より高いスループットを提供するための努力がなされている。例えば、ロングタームエボリューション・セルラ・ＲＡＴなど、いくつかの最新のＲＡＴは、マルチインプットマルチアウトプット（ＭＩＭＯ）、適応変調及び符号化手法（ＭＣＳ）技術及びハイブリッド自動再送要求（ＨＡＲＱ）技術を含む受信機ダイバーシティ技術などの高度な物理層技術を使用することにより、エンドユーザーアプリケーションに高いスループットを提供するように設計されている。
【０００３】
これらの高度な技術は、たとえモバイルネットワーク上であっても、データを集中的に使用する現代のアプリケーションに対してより高いスループットを提供するという目的を達成するが、そのような技術の使用は、無線通信デバイスによる電力消費を著しく増加させ、それによりバッテリ寿命を縮め得る。この点に関し、受信機ダイバーシティ技術は、ＭＩＭＯなどの特徴をサポートするために複数の受信機チェーンを利用し、その結果、電力消費が増加している。最新のＲＡＴにおいて実装されている受信機ダイバーシティ技術は、たとえ所与の時点におけるデバイス使用特性が、受信機ダイバーシティ技術を介して提供され得る、より高いスループットを必要としない場合でも、通常は既定で常に使用されるため、充電間のデバイス使用時間を著しく縮め、かつユーザエクスペリエンスに悪影響を与え得る。
【発明の概要】
【０００４】
本明細書で開示されるいくつかの例示的実施形態は、受信機ダイバーシティの適応的使用を提供する。この点に関し、いくつかの例示的実施形態は、受信機ダイバーシティが不要なときに無効にされ得るように、デバイス使用特性に基づき適応的に受信機ダイバーシティを無効にすることにより、無線通信デバイスにおける電力消費を低減する。種々の例示的実施形態によれば、受信機ダイバーシティは、種々のデバイス使用特性、例えば、デバイス上のアクティブデータトラフィックパターンに関する情報、アクティブアプリケーション（複数可）及び特定のサービス品質（ＱｏＳ）をサポートするためのそのアプリケーションのデータレート要件（例えば、アップリンク及び／又はダウンリンク要件）に関する情報、測定された信号対干渉雑音比（ＳＩＮＲ）、測定された参照信号受信電力（ＲＳＲＰ）、測定された参照信号受信品質（ＲＳＲＱ）、測定された受信信号強度インジケータ（ＲＳＳＩ）などの物理層測定値、測定されたラウンドトリップタイム（ＲＴＴ）、測定されたパケット損失率（ＰＬＲ）などのアプリケーション層測定値又はこれらの任意の組み合わせに基づき、選択的に無効にされ得る。
【０００５】
第１の実施形態では、受信機ダイバーシティを適応的に無効にする方法が提供される。第１の実施形態に係る方法は、無線通信デバイスがアクティブデータトラフィックパターンを判別することと、アクティブデータトラフィックパターンに対する閾値サービス品質をサポートするために必要な閾値チャネル品質に少なくとも部分的に基づき閾値チャネル品質メトリックを定義することと、測定されたチャネル品質を閾値チャネル品質メトリックと比較することと、測定されたチャネル品質メトリックが閾値チャネル品質メトリックを満たす場合に受信機ダイバーシティを無効にすることと、を含み得る。
【０００６】
第２の実施形態では、無線通信デバイスが提供される。第２の実施形態に係る無線通信デバイスは、送受信機と、その送受信機に連結された処理回路と、を含み得る。送受信機は、無線ネットワークを介してデータを送受信するように構成することができる。処理回路は、少なくともアクティブデータトラフィックパターンを判別し、少なくとも部分的に、アクティブデータトラフィックパターンに対する閾値サービス品質をサポートするために必要な閾値チャネル品質に基づき閾値チャネル品質メトリックを定義し、測定されたチャネル品質を閾値チャネル品質メトリックと比較し、測定されたチャネル品質メトリックが閾値チャネル品質メトリックを満たす場合に受信機ダイバーシティを無効にするように、第２の実施形態に係る無線通信デバイスを制御するように構成することができる。
【０００７】
第３の実施形態では、受信機ダイバーシティを適応的に無効にするためのコンピュータプログラム製品が提供される。第３の実施形態に係るコンピュータプログラム製品は、プログラムコードを記憶する少なくとも１つの非一時的コンピュータ可読記憶媒体を含み得る。第３の実施形態に係るプログラムコードは、アクティブデータトラフィックパターンを判別するためのプログラムコードと、アクティブデータトラフィックパターンに対する閾値サービス品質をサポートするために必要な閾値チャネル品質に少なくとも部分的に基づき閾値チャネル品質メトリックを定義するためのプログラムコードと、測定されたチャネル品質を閾値チャネル品質メトリックと比較するためのプログラムコードと、測定されたチャネル品質メトリックが閾値チャネル品質メトリックに適合する場合に受信機ダイバーシティを無効にするためのプログラムコードと、を含むことができる。
【０００８】
第４の実施形態では、受信機ダイバーシティを適応的に無効にするための装置が提供される。第４の実施形態に係る装置は、アクティブデータトラフィックパターンを判別するための手段と、アクティブデータトラフィックパターンに対する閾値サービス品質をサポートするために必要な閾値チャネル品質に少なくとも部分的に基づき閾値チャネル品質メトリックを定義するための手段と、測定されたチャネル品質を閾値チャネル品質メトリックと比較するための手段と、測定されたチャネル品質メトリックが閾値チャネル品質メトリックを満たす場合に受信機ダイバーシティを無効にするための手段と、を含むことができる。
【０００９】
上記の概要は、単に、本発明のいくつかの態様の基本的な理解のために本発明のいくつかの実施形態例を要約することを目的とする。したがって、上記の実施形態例は単に実施例であって、本発明の趣旨の範囲をいかなる意味においても狭めると解釈されないことが理解されよう。本発明の他の実施形態、態様、及び利点は、例として、説明される実施形態の原理を例示する添付図と共に考慮される、下記の発明を実施するための形態から明らかとなるであろう。
【００１０】
説明される実施形態、及びその利点は、添付図面と併せて以下の説明を参照することによって、最も良好に理解することができる。これらの図面は必ずしも縮尺どおりに描画されておらず、説明される実施形態の趣旨及び範囲から逸脱することなく、当業者によって、説明される実施形態に実施することができる、形態及び詳細のいかなる変更も、決して限定するものではない。
【図面の簡単な説明】
【００１１】
【図１】いくつかの例示的実施形態に係る、無線通信システムを示す図。
【図２】いくつかの例示的実施形態に係る、無線通信デバイス上に実装可能な装置のブロック図。
【図３】いくつかの例示的実施形態に係る、受信機ダイバーシティを適応的に無効にするための例示的方法に係るフローチャート。
【図４】いくつかの例示的実施形態に係る、受信機ダイバーシティを適応的に有効にするための例示的方法に係るフローチャート。
【図５】いくつかの例示的実施形態に係る、受信機ダイバーシティを適応的に無効にするための別の例示的方法に係るフローチャート。
【図６】いくつかの例示的実施形態に係る、閾値チャネル品質メトリックを適応的に定義するための別の例示的方法に係るフローチャート。
【発明を実施するための形態】
【００１２】
本明細書で開示されるシステム、方法、装置及びコンピュータプログラム製品の代表的な適用例について、このセクションで説明する。これらの実施例は、更なる前後関係を提供し、説明する実施形態の理解を助けることのみを目的として提供される。それゆえ、説明される実施形態は、これらの具体的な詳細の一部又は全てを伴わずに実践することができる点が、当業者には明白となるであろう。他の場合、説明される実施形態を不必要に不明瞭化することを回避するために、周知のプロセスステップは、詳細には説明されていない。他の適用が可能であり、それゆえ以下の実施例は、限定的なものとして解釈されるべきでない。
【００１３】
以下の詳細な説明では、説明の一部を形成し、例示として説明される実施形態に係る具体的な実施形態が示される添付の図面が参照される。これらの実施形態は、当業者が説明される実施形態を実施できるように十分詳細に説明されるが、これらの例は限定的なものでなく、他の実施形態が使用されてもよく、説明される実施形態の趣旨又は範囲から逸脱せずに変更が行われてもよいということが理解されよう。
【００１４】
本明細書で開示されるいくつかの例示的実施形態は、受信機ダイバーシティが不要なときに無効にされ得るように、デバイス使用特性に基づき適応的に受信機ダイバーシティを無効にすることにより、無線通信デバイスにおける電力消費を低減する。種々の例示的実施形態によれば、受信機ダイバーシティは、様々なデバイス使用特性、例えば、デバイス上のアクティブデータトラフィックパターンに関する情報、アクティブアプリケーション（複数可）及び特定のサービス品質（ＱｏＳ）をサポートするためのそのアプリケーションのデータレート要件（例えば、アップリンク及び／又はダウンリンク要件）に関する情報、測定された信号対干渉雑音比（ＳＩＮＲ）、測定された参照信号受信電力（ＲＳＲＰ）、測定された参照信号受信品質（ＲＳＲＱ）、測定された受信信号強度（ＲＳＳＩ）などの物理層測定値、測定されたラウンドトリップタイム（ＲＴＴ）、測定されたパケット損失率（ＰＬＲ）などのアプリケーション層測定値又はこれらの組み合わせに基づき選択的に無効にすることができる。
【００１５】
より詳細には、いくつかの例示的実施形態は、測定された物理層メトリック（例えば、ＳＩＮＲ、ＲＳＲＰ、ＲＳＲＱ、ＲＳＳＩなど）及び／又は測定されたアプリケーション層メトリック（例えば、ＲＴＴ、ＰＬＲなど）などの測定されたチャネルメトリックに基づき受信機ダイバーシティが選択的に有効及び無効にされ得るように、受信機ダイバーシティを無効及び／又は有効にするための閾値（複数可）を定義する。いくつかの例示的実施形態の閾値は、少なくとも部分的に、所与のアクティブデータトラフィックパターンに対する閾値ＱｏＳをサポートするために必要とされ得る閾値チャネル品質に基づき定義することができる。したがって、例えば、データトラフィックがアクティブでない場合、又は高いスループットを必要としないアプリケーションが使用されている場合、節電するために受信機ダイバーシティを無効にすることができる。この点に関し、受信機ダイバーシティの使用によって提供され得る、より高いレベルのスループットは、いくつかのデータトラフィックパターンをサポートするために必要とされない場合がある。例えば、Ａｐｐｌｅ（登録商標）、ＦａｃｅＴｉｍｅ（登録商標）などのテレビ会議アプリケーション、ボイスオーバーＬＴＥ（ＶｏＬＴＥ）及び比較的低い固定トラフィックレートを使用する他のアプリケーションは、より低いスループットで非常に安定的に機能し得るため、そのようなアプリケーションを使用するときは、アプリケーションの機能又はユーザエクスペリエンスに影響を与えることなく、受信機ダイバーシティを無効にし得ることが多い。したがって、例えば、ＬＴＥ規格は、ＭＩＭＯ及び堅牢な単一層送信をサポートするために、２つの受信機チェーンを使用して動作するように設計されているが、いくつかの例示的実施形態は、電力消費を低減するために、パフォーマンス上の不利益をもたらさない場合に２次受信機チェーンをオフにすることを提供する。結果としてユーザは、アプリケーションの機能性又は応答性の低下による目立った影響を受けることなく、長くなったバッテリ寿命の恩恵を受けることができる。
【００１６】
図１は、いくつかの例示的実施形態が適用され得る、無線通信システム１００を示す。この点に関し、図１は、無線リンクを介した無線通信デバイス１０２へのネットワークアクセスを提供し得る、無線通信デバイス１０２及びサービング基地局１０４を含む無線セルラ・アクセスネットワークを示す。非制限的な例において、無線通信デバイス１０２は、スマートフォンデバイスなどのセルラ電話、タブレットコンピューティングデバイス、ラップトップコンピューティングデバイス、又は、サービング基地局１０４を介してセルラ及び／又は他の無線ネットワークにアクセスするように構成された他のコンピューティングデバイスであり得る。サービング基地局１０４は、エボルブドノードＢ（ｅＮＢ）、ノードＢ、無線基地局装置（ＢＴＳ）などの任意のセルラ基地局及び／又は他の任意の種類の基地局であり得る。
【００１７】
システム１００の無線アクセスネットワークは、非制限的な例において、ＬＴＥ、ＬＴＥ−Ａｄｖａｎｃｅｄ（ＬＴＥ−Ａ）などのＬＴＥ  ＲＡＴ及び／又は他のＬＴＥ  ＲＡＴを含む受信機ダイバーシティ技術の使用をサポートし得る任意のＲＡＴを実施することができる。しかしながら、本明細書で開示される実施形態は、ＬＴＥシステム内のアプリケーションに限定されず、ＭＩＭＯ及び／又は他の受信機ダイバーシティ技術を利用する任意のセルラＲＡＴに適用され得ることが理解されよう。さらに、いくつかの例示的実施形態は、受信機ダイバーシティ技術が適用され得る非セルラ無線ＲＡＴに適用され得ることが理解されよう。したがって、例えば、そのような任意のＲＡＴに係る無線ネットワークアクセスポイントは、本開示の範囲内に含まれるサービング基地局１０４に置換され得ることが理解されよう。さらに、種々の実施形態が、ＬＴＥ及び／又は他のセルラＲＡＴに適用されるものとして例示的に説明されるが、そのような実施例は、いくつかの例示的実施形態の適用の非制限的な例として提供され、かつその技術は、本開示の範囲内に含まれる受信機ダイバーシティ技術を使用する、別のＲＡＴに適用され得ることが理解されよう。
【００１８】
図２は、いくつかの例示的実施形態に係る、無線通信デバイス１０２上で実施され得る装置２００のブロック図を示す。この点に関し、装置２００は、無線通信デバイス１０２などのコンピューティングデバイス上で実施されたときに、そのコンピューティングデバイスが、システム１００などの無線通信システム内で、１つ以上の例示的実施形態に係る適応的な受信機ダイバーシティ技術を実施することを可能にし得る。図２に図示されており、かつ同図に関して説明されている構成要素、デバイス又は要素は必須ではなく、したがって、いくつかは、特定の実施形態において省略され得ることが理解されよう。さらに、いくつかの実施形態は、図２に例示され、同図に関して記載されるものに加えて、又はそれらとは別の、構成要素、デバイス又は要素を含み得る。
【００１９】
いくつかの例示的実施形態において、装置２００は、本明細書で開示される１つ以上の例示的実施形態に係るアクションを実行するように構成可能な処理回路２１０を含み得る。この点に関し、処理回路２１０は、各種例示的実施形態に係る装置２００の１つ以上の機能を実行するように、及び／又は実行を制御するよう構成することができ、それにより、各種例示的実施形態に係る装置２００の機能を実行するための手段を提供することができる。処理回路２１０は、１つ以上の例示的実施形態に係るデータ処理、アプリケーション実行及び／又は他の処理、並びに管理サービスを実行するように構成され得る。
【００２０】
いくつかの実施形態において、処理回路２１０などの、装置２００又はその一部分（複数可）若しくはその構成要素（複数可）は、それぞれが１つ以上のチップを含み得る１つ以上のチップセットを含み得る。したがって、処理回路２１０及び／又は装置２００の１つ以上の更なる構成要素は、場合によっては、チップセット上で一実施形態を実装するように構成され得る。装置２００の１つ以上の構成要素がチップセットとして具体化されているいくつかの例示的実施形態において、チップセットは、コンピューティングデバイス上で実装されたとき、又はさもなければコンピューティングデバイスに操作可能に接続されたとき、コンピューティングデバイスがシステム１００内で動作することを可能にし得る。いくつかの例示的実施形態において、装置２００は、無線通信デバイス１０２などのコンピューティングデバイスがセルラネットワーク上で動作することを可能にするように構成され得る、セルラチップセットを含み得る。
【００２１】
いくつかの例示的実施形態において、処理回路２１０は、プロセッサ２１２を含み得、図２に示すようないくつかの実施形態において、さらに、メモリ２１４を含み得る。処理回路２１０は、送受信機２１６及び／又は受信機ダイバーシティ制御モジュール２１８と通信可能であるか、又は別の方法でそれらを制御することができる。
【００２２】
プロセッサ２１２は、様々な形で具体化することができる。例えば、プロセッサ２１２は、マイクロプロセッサ、コプロセッサ、コントローラ、又は、例えば、ＡＳＩＣ（特定用途向け集積回路）、ＦＰＧＡ（フィールドプログラマブルゲートアレイ）、それらのいくつかの組み合わせなどの集積回路を含む他の各種コンピューティング装置若しくは処理機器など、各種ハードウェアベースの処理手段として具体化することができる。単一プロセッサとして図示されるが、プロセッサ２１２は、複数のプロセッサで構成され得ることが理解されよう。これら複数のプロセッサは、互いに動作通信することができ、本明細書に記載の通り、装置２００の１つ以上の機能を実行するように集合的に構成することができる。いくつかの例示的実施形態において、プロセッサ２１２は、メモリ２１４に記憶され得る命令又はさもなければプロセッサ２１２がアクセスし得る命令を実行するように構成することができる。このように、ハードウェアによって構成されるか、又はハードウェアとソフトウェアの組み合わせによって構成されるかどうかにかかわらず、プロセッサ２１２は、然るべく構成することによって、様々な実施形態に係る動作を実行することができる。
【００２３】
いくつかの例示的実施形態において、メモリ２１４は、１つ以上のメモリデバイスを含み得る。メモリ２１４は、固定型及び／又は着脱式メモリデバイスを含み得る。いくつかの実施形態において、メモリ２１４は、プロセッサ２１２によって実行され得るコンピュータプログラム命令を記憶し得る非一時的コンピュータ可読記憶媒体を提供することができる。この点に関し、メモリ２１４は、装置２００が１つ以上の例示的実施形態に係る様々な機能を実行することを可能にする情報、データ、アプリケーション、命令などを記憶するように構成され得る。いくつかの実施形態において、メモリ２１４は、装置２００の構成要素間で情報を渡すためのバスを介して、プロセッサ２１２、送受信機２１６又は受信機ダイバーシティ制御モジュール２１８のうちの１つ以上と通信することができる。
【００２４】
装置２００は、送受信機２１６をさらに含み得る。送受信機２１６は、装置２００が１つ以上の無線ネットワークとの間で無線信号を送受信することを可能にし得る。したがって、送受信機２１６は、例えば、無線通信デバイス１０２上で実施されたときに、サービング基地局１０４及び／又は他の無線ネットワークアクセスポイントなどの別のデバイスとの無線リンクの確立及びそれを介した通信をサポートするように構成され得る。この点に関し、送受信機２１６は、受信機ダイバーシティ技術を使用することができる任意のＲＡＴに係る通信をサポートするように構成され得る。いくつかの例示的実施形態において、送受信機２１６は、受信機ダイバーシティ技術をサポートするように構成されたハードウェアを含み得、かつ／又はこれに結合され得る。例えば、いくつかの例示的実施形態に係る送受信機２１６は、ＭＩＭＯなどの受信機ダイバーシティ技術をサポートするために使用され得る複数のアンテナを含み得、かつ／又はこれらに結合され得る。
【００２５】
装置２００は、受信機ダイバーシティ制御モジュール２１８をさらに含み得る。受信機ダイバーシティ制御モジュール２１８は、回路、ハードウェア、コンピュータ可読媒体（例えば、メモリ２１４）上に記憶され、処理デバイス（例えば、プロセッサ２１２）によって実行されるコンピュータ可読プログラム命令を含むコンピュータプログラム製品、又はこれらのいくつかの組み合わせなどの、様々な手段として具体化され得る。いくつかの実施形態において、プロセッサ２１２（又は処理回路２１０）は、受信機ダイバーシティ制御モジュール２１８を含み得るか、又は他の方法で制御し得る。本明細書の以下でさらに説明される１つ以上の例示的実施形態によれば、受信機ダイバーシティ制御モジュール２１８は、受信機ダイバーシティを適応的に有効及び／又は無効にするように構成され得る。
【００２６】
所与の時点で無線通信デバイス１０２によって必要とされ得るスループットは、アクティブデータトラフィックパターンに基づき判別することができる。アクティブデータトラフィックパターンは、例えば、データが無線通信デバイス１０２によって受信及び／又は送信されるデータレート、データが無線通信デバイス１０２によって受信及び／又は送信される頻度、及び／又はデータトラフィックパターンを説明し得る他のメトリックを単位として定義され得る。アクティブデータトラフィックパターンは、所与の時点で使用中であり得るアプリケーション（複数可）によって駆動され得る。この点に関し、所与のアプリケーションは、パケットサイズ、パケット相互到達時間などを単位として定義され得る、関連付けられたアプリケーショントラフィックパターンを有することができる。例えば、ＶｏＬＴＥは、以下のように定義され得るトラフィックパターンを有することができる。
【表１】
2016516340.tif 000003
【００２７】
アプリケーションによって必要とされ得るＱｏＳは、例えば、パケット遅延及びＰＬＲを単位として測定することができる。例えば、ＬＴＥエアインターフェイスを介して送信することができるＶｏＬＴＥ又は他のビデオ／音声アプリケーションは、以下のように定義され得る、関連付けられたＱｏＳを有することができる。
【表２】
2016516340.tif 000004
【００２８】
セルラ通信システムでは、アプリケーショントラフィックをスケジュールすることができるスケジューラが、サービング基地局１０４上で実装され得る。例えば、ＬＴＥシステムでは、ｅＮＢスケジューラがアプリケーショントラフィックをスケジュールすることができる。ｍバイトのサイズのアプリケーション層パケットが基地局の入力バッファに到達すると仮定した場合、スケジューラはパケットに割り当てられる物理層リソースを決定することができる。スケジューラは、無線通信デバイス１０２によって報告され得るチャネル品質インジケータ（ＣＱＩ）、無線通信デバイス１０２によって報告され得るランク、データ転送がアクティブになっている他の任意のデバイスに対してスケジュールされたトラフィックなどを含む、様々な要因のうちの任意のものに基づき、トランスポートブロック（ＴＢ）サイズの割り当てを（任意のプロトコルオーバーヘッドの追加後に）決定することができる。これらの要因に基づき、スケジューラは所与の送信時間間隔（ＴＴＩ）に応じて、無線通信デバイス１０２に対する変調及び符号化手法（ＭＣＳ）及びリソースブロック（ＲＢ）割り当てを決定することができる。高負荷のシナリオでは、無線リンク制御（ＲＬＣ）が、複数のＴＴＩにわたる送信のためにパケットをセグメント化することが必要になり得る。この点に関し、セグメント化の度合が大きいことは、サービング基地局１０４に対する高負荷のシナリオを示し得る。
【００２９】
いくつかの例示的実施形態によれば、前述の説明に基づき、受信機ダイバーシティを無効にするための基準が定義され得る。いくつかの例示的実施形態では、受信機ダイバーシティを無効にするための基準が、アクティブアプリケーションに対する（例えば、アプリケーションに関連付けられたデータトラフィックパターンに対する）ＱｏＳを単位として、かつ／又は観察されたアクティブデータトラフィックパターンを単位として定義され得る。この点に関し、ユーザの観点からは、所与のアプリケーションがＱｏＳ（例えば、閾値ＱｏＳ）を満たす場合に受信機ダイバーシティを無効にし、かつ２次受信機チェーンの使用を中止することが許容され得る。このため、いくつかの例示的実施形態に係る受信機ダイバーシティ制御モジュール２１８は、無線周波数（ＲＦ）チャネルの状態に基づくＰＨＹ／ＲＬＣ再送信後の許容可能なパケット損失を維持するのに十分な物理層測定値（複数可）に対応する閾値チャネル品質を定義するように構成され得る。この点に関し、トランスポートブロックサイズを決定する、基地局のスケジューラへの主な入力のうちの１つは、無線通信デバイス１０２によって別個に制御及び報告され得るＣＱＩ及びランクである。このため、いくつかの例示的実施形態に係る受信機ダイバーシティ制御モジュール２１８は、たとえ受信機ダイバーシティを無効にしたときにランクが１まで低減され得るとしても、測定されたＲＦチャネルの状態に基づき、単一の受信機チェーンを使用して妥当な（例えば、少なくとも最小閾値の）ＣＱＩを維持し得るかどうかを判定するように構成され得る。妥当なＣＱＩは、サービング基地局１０４に対する過剰な負荷を生み出すことなく、アプリケーションパケットを対応するＭＣＳにおいて確実に受信することを可能にし得る、最小閾値ＣＱＩに対応し得る。
【００３０】
チャネル品質を予測する１つの方法は、ＳＩＮＲの測定によるものである。したがって、例えば、いくつかの例示的実施形態に係る受信機ダイバーシティ制御モジュール２１８は、単一の受信機チェーン上で必要なＣＱＩを維持するために必要とされ得る閾値ＳＩＮＲレベルを単位として閾値ＳＩＮＲを定義するように構成され得る。いくつかの例示的実施形態によれば、測定されたＳＩＮＲが閾値ＳＩＮＲを満たす場合に、受信機ダイバーシティを無効にすることができる。このため、例えば、いくつかの例示的実施形態に係る、受信機ダイバーシティを無効にするための基準は、以下のように定義され得る。
ＳＩＮＲ０≧ＳＩＮＲｒｘｄ＿ｄｉｓａｂｌｅ
ここで、ＳＩＮＲ０は測定されたＳＩＮＲを表し、ＳＩＮＲｒｘｄ＿ｄｉｓａｂｌｅは受信機ダイバーシティを無効にするための閾値ＳＩＮＲを定義する。
【００３１】
いくつかの例示的実施形態に係る受信機ダイバーシティ制御モジュール２１８は、ＳＩＮＲに加えて、又はその代替として、他の物理層測定値を単位として閾値基準を定義し得ることが理解されよう。例えば、いくつかの例示的実施形態は、受信機ダイバーシティを無効にするための基準を補足する目的で、ＲＳＲＰ、ＲＳＲＱ、ＲＳＳＩなどを使用し得る。
【００３２】
更なる例として、いくつかの例示的実施形態では、受信機ダイバーシティを無効にするための閾値基準を定義する、かつ／又はさもなければ拡張する目的で、１つ以上のトランスポートブロックに対する巡回冗長検査（ＣＲＣ）エラーの物理層測定を利用するように、受信機ダイバーシティ制御モジュール２１８を構成することができる。例えば、いくつかの実施形態では、ｎ回目のＨＡＲＱ再送信においてＣＲＣエラーが発生しなかった場合に、受信機ダイバーシティを無効にすることができる。しかしながら、いくつかのそのような例示的実施形態では、受信機ダイバーシティが無効になった状態で確実な受信機のパフォーマンスを提供するために、より制限の緩い（例えば、より低い）ＳＩＮＲ閾値又は他の閾値チャネル品質メトリックを適用することもできる。
【００３３】
いくつかの例示的実施形態に係る受信機ダイバーシティ制御モジュール２１８は、閾値チャネル品質メトリックを定義するときに、かつ／又は受信機ダイバーシティを無効にするための閾値チャネル品質メトリックを増加させる目的で、アプリケーション層測定値を考慮するように、追加で又は代替として構成され得る。例えば、いくつかの実施形態において、アプリケーションは、ピングパケットを使用してラウンドトリップタイム（ＲＴＴ）を取得することなどによって、１トリップ遅延を推定することができる。測定されたＲＴＴが閾値ＲＴＴを満たす（例えば、下回る）場合、受信機ダイバーシティ制御モジュール２１８は、受信機ダイバーシティを無効にするように構成され得る。しかしながら、測定されたＲＴＴが大きく、閾値ＲＴＴを満たさない（例えば、上回る）場合、いくつかの例示的実施形態に係る受信機ダイバーシティ制御モジュール２１８は、たとえ閾値ＳＩＮＲなど、受信機ダイバーシティを無効にするための物理層測定閾値を満たす場合でも、受信機ダイバーシティを有効にするように構成され得る。
【００３４】
別の例として、いくつかの実施形態では、アプリケーションがＰＬＲを推定し得る。測定されたＰＬＲが閾値ＰＬＲを満たす（例えば、下回る）場合、いくつかの例示的実施形態に係る受信機ダイバーシティ制御モジュール２１８は、受信機ダイバーシティを無効にするように構成され得る。しかしながら、測定されたＰＬＲが高く、閾値ＰＬＲを満たさない（例えば、上回る）場合、いくつかのそのような例示的実施形態に係る受信機ダイバーシティ制御モジュール２１８は、たとえ閾値ＳＩＮＲなど、受信機ダイバーシティを無効にするための物理層測定閾値を満たす場合でも、受信機ダイバーシティを有効にするように構成され得る。
【００３５】
ＲＴＴ及びＰＬＲなどのアプリケーション層のＱｏＳ測定値は、サービング基地局１０４に対する負荷を示し得る。したがって、例えば、ＲＴＴ及び／又はＰＬＲが増加している場合、無線通信デバイス１０２は、この無線通信デバイスに対するＲＢ割り当ての配分を低減することによって負荷を緩和するために、より高いＭＣＳ及びランクにおいて報告及び復号する方が適切であり得る。このため、いくつかの例示的実施形態において、受信機ダイバーシティ制御モジュール２１８は、測定されたＲＴＴ、ＰＬＲなど、サービング基地局１０４における負荷の測定された指標に基づき閾値チャネル品質メトリックを定義する、かつ／又は閾値チャネル品質メトリックを増加させるように構成され得る。
【００３６】
いくつかの例示的実施形態は同様に、受信機ダイバーシティ制御モジュール２１８によって適用され得る、受信機ダイバーシティを有効にするための物理層及び／又はアプリケーション層基準を定義することができる。例えば、ＣＱＩがアクティブデータトラフィックパターンに必要な最小スループットに影響を与え得る閾値を、測定されたＳＩＮＲが下回った場合、受信機ダイバーシティ制御モジュール２１８は、受信機ダイバーシティを有効にするように構成され得る。したがって、例えば、いくつかの例示的実施形態に係る、受信機ダイバーシティを有効にするための基準は、以下のように定義することができる。
ＳＩＮＲ０≦ＳＩＮＲｒｘｄ＿ｅｎａｂｌｅ
ここで、ＳＩＮＲ０は測定されたＳＩＮＲを表し、ＳＩＮＲｒｘｄ＿ｅｎａｂｌｅは受信機ダイバーシティを有効にするための閾値ＳＩＮＲを定義する。いくつかの例示的実施形態において、ＳＩＮＲｒｘｄ＿ｅｎａｂｌｅは、ヒステリシス効果を回避するために、ＳＩＮＲｒｘｄ＿ｅｎａｂｌｅｒｘｄ＿ｄｉｓａｂｌｅとは異なる値であり得る。例えば、ＳＩＮＲｒｘｄ＿ｅｎａｂｌｅは、ＳＩＮＲｒｘｄ＿ｄｉｓａｂｌｅを下回り得る。しかしながら、いくつかの例示的実施形態では、単一の閾値（例えば、ＳＩＮＲｔｈｒｅｓｈｏｌｄ）を定義し得、かつ測定されたＳＩＮＲが閾値を満たすかどうかに基づき受信機ダイバーシティを有効／無効にし得ることが理解されよう。
【００３７】
更なる例として、いくつかの例示的実施形態では、１回でも、又は代替として閾値の数だけ、ＣＲＣエラーがｎ回目のＨＡＲＱ再送信において発生した場合に受信機ダイバーシティを有効にするように、受信機ダイバーシティ制御モジュール２１８を構成することができる。
【００３８】
様々なアプリケーション層測定値のうちのいずれかは、受信機ダイバーシティを有効にするかどうかを判定するときに、追加で、又は代替として、受信機ダイバーシティ制御モジュール２１８によって考慮され得る。例えば、測定されたＲＴＴが閾値ＲＴＴを上回った場合、受信機ダイバーシティは無効にされ得る。別の例として、測定されたＰＬＲが閾値ＰＬＲを上回った場合、受信機ダイバーシティは有効にされ得る。
【００３９】
いくつかの例示的実施形態に係る受信機ダイバーシティ制御モジュール２１８は、サービング基地局１０４に対する負荷に基づき、適応的に閾値チャネル品質メトリックを定義するように構成され得る。例えば、いくつかの実施形態では、適応的ＳＩＮＲ閾値が、受信機ダイバーシティ制御モジュール２１８によって定義及び適用され得る。しかしながら、本開示の範囲内において、追加で、又は代替として、適応的閾値ＲＳＲＰ、ＲＳＲＱ、ＲＳＳＩなどの他の適応的閾値チャネル品質メトリックを定義及び適用し得ることが理解されよう。したがって、適応的閾値ＳＩＮＲを定義する以降の実施例は、例として提供されるものであって、限定するものとして提供されないことが理解されよう。この点に関し、他の適応的閾値チャネル品質メトリックを定義するために、類似の技術が適用され得る。
【００４０】
サービング基地局１０４の制御における主なリソースは、異なるデバイスへのＲＢ割り当てであり、これは、ＭＣＳを決定するＣＱＩが無線通信デバイス１０２によって制御され得、かつアクティブデータトラフィックパターンが、使用中のアプリケーション（複数可）によって決定され得るためである。ダイバーシティ制御モジュール２１８が、受信機ダイバーシティを無効にするためのＳＩＮＲ閾値として制限の厳しい値（例えば、より低いＳＩＮＲ閾値）を定義した場合、無線通信デバイス１０２は、ＲＦ状態が悪化したときに、より低いＣＱＩをネットワークに報告し得る。パケット送信を容易にするために、サービング基地局１０２は、多くのＲＢを使用することが必要になり得る。高負荷のシナリオでは、無線通信デバイス１０２に必要な数のＲＢが即座に割り当てられない場合があるため、多くのＲＢが使用されると、パケット遅延は増加し得る。一方、負荷が低いときは、たとえＣＱＩが低くても、サービング基地局１０４がより多くのＲＢを無線通信デバイス１０２に割り当てることができる場合があり、その場合、パケット遅延の増加は回避され得る。
【００４１】
このため、いくつかの例示的実施形態に係る受信機ダイバーシティ制御モジュール２１８は、サービング基地局１０４に対する負荷に基づき、受信機ダイバーシティを有効／無効にするためのＳＩＮＲ閾値を適応的に修正するように構成され得る。非制限的な例として、いくつかの例示的実施形態では、受信機ダイバーシティ制御モジュール２１８が、少なくとも部分的に、監視されたアプリケーション層のＱｏＳ測定値に基づきＳＩＮＲ閾値を修正することができる。例えば、ＲＴＴが増加し始めた場合、対応するＳＩＮＲｒｘｄ＿ｄｉｓａｂｌｅ閾値は増加され得、かつ／又はＳＩＮＲｒｘｄ＿ｅｎａｂｌｅ閾値は低減され得る。非制限的な例として、いくつかの実施形態に係る受信機ダイバーシティ制御モジュール２１８は、以下のようにサービング基地局１０４に対する負荷を示すアプリケーション層測定値に少なくとも部分的に基づき、適応的に閾値ＳＩＮＲを定義するように構成され得る。
ＲＴＴｍｅａｓ≧ＲＴＴｈｉｇｈ＿ｔｈｒｅｓの場合、
ＳＩＮＲｒｘｄ＿ｄｉｓａｂｌｅ＝ｍｉｎ（αＳＩＮＲｒｘｄ＿ｄｉｓａｂｌｅ，ＳＩＮＲｍａｘ）；
ＲＴＴｍｅａｓ≦ＲＴＴｌｏｗ＿ｔｈｒｅｓの場合、
ＳＩＮＲｒｘｄ＿ｅｎａｂｌｅ＝ｍａｘ（βＳＩＮＲｒｘｄ＿ｅｎａｂｌｅ，ＳＩＮＲｍｉｎ）；
α＞１、β＜１
【００４２】
いくつかの例示的実施形態において、受信機ダイバーシティ制御モジュール２１８は、サービング基地局１０４に対する負荷を判定するために、ＲＴＴ及びＰＬＲ測定値の使用に加えて、又はその代替として、アプリケーションパケットのＲＬＣセグメンテーションを使用するように構成され得る。ほとんどの固定低レートデータトラフィックでは、パケット全体が単一のＰＨＹトランスポートブロック内に収まる必要がある。しかしながら、負荷が増加し、かつ無線通信デバイス１０２に割り当てられたＲＢの数がパケット全体を配信するのに十分でない場合、サービング基地局１０２は、複数の再送信にわたってパケットを配信するために、ＲＬＣセグメンテーションを実行することができる。それゆえ、いくつかの例示的実施形態において、受信機ダイバーシティ制御モジュール２１８は、少なくとも部分的に、観察されたＲＬＣセグメンテーションに基づき、適応的に閾値ＳＩＮＲを修正するように構成され得る。非制限的な例として、ＲＬＣセグメンテーションの検出に応じ、いくらかのマージン分だけ、ＳＩＮＲｒｘｄ＿ｄｉｓａｂｌｅが増加され得、かつ／又はＳＩＮＲｒｘｄ＿ｅｎａｂｌｅが低減され得る。例えば、いくつかの例示的実施形態では、ＲＬＣセグメンテーションが検出されるたびに、いくらかのマージン分だけ、ＳＩＮＲｒｘｄ＿ｄｉｓａｂｌｅが増加され得、かつ／又はＳＩＮＲｒｘｄ＿ｅｎａｂｌｅが低減され得る。さらに、いくつかの例示的実施形態では、セグメント化されていないパケットを閾値数だけ検出した後、いくらかのマージン分だけ、ＳＩＮＲｒｘｄ＿ｄｉｓａｂｌｅを低減する、かつ／又はＳＩＮＲｒｘｄ＿ｅｎａｂｌｅを増加させることなどによってＳＩＮＲ閾値を調整するように、受信機ダイバーシティ制御モジュール２１８が構成され得る。
【００４３】
上述の実施例において、ＳＩＮＲｒｘｄ＿ｅｎａｂｌｅは、ヒステリシス効果を回避するために、ＳＩＮＲｒｘｄ＿ｄｉｓａｂｌｅとは異なる値であり得る。例えば、ＳＩＮＲｒｘｄ＿ｅｎａｂｌｅは、ＳＩＮＲｒｘｄ＿ｄｉｓａｂｌｅを下回り得る。しかしながら、いくつかの例示的実施形態では、代わりに単一の閾値（例えば、ＳＩＮＲｔｈｒｅｓｈｏｌｄ）を定義してそれを適応的に修正し、測定されたＳＩＮＲが閾値を満たすかどうかに基づき受信機ダイバーシティを有効／無効にし得ることが理解されよう。
【００４４】
無線通信デバイス１０２によって測定され得る、又はさもなければ観察され得る、サービング基地局１０４における負荷のいかなる指標も、受信機ダイバーシティを有効／無効にするためのＳＩＮＲ及び／又は他のチャネル品質閾値を適応的に定義及び／又は修正するために使用され得ることが理解されよう。この点に関し、ＲＴＴなどのアプリケーション層のＱｏＳ測定値及び観察されたＲＬＣセグメンテーションを使用する上記の実施例は、例として提供されるものであって、限定するものとしては提供されない。いくつかの例示的実施形態によれば、サービング基地局１０４における負荷の他の指標が、アプリケーション層のＱｏＳ測定値及び／又はＲＬＣセグメンテーションに加えて、又はその代替として使用され得る。
【００４５】
受信機ダイバーシティ制御モジュール２１８が、閾値ＳＩＮＲなどの閾値チャネル品質メトリックを適応的に、かつ／又はさもなければ、１つ以上の物理層測定値及び／若しくは１つ以上のアプリケーション層測定値など、チャネル品質を示し得る複数の測定値に基づき定義するように構成され得る、いくつかの例示的実施形態において、受信機ダイバーシティ制御モジュール２１８は、考慮され得る要素に重み付けを適用するように構成され得る。例えば、いくつかの測定値は、閾値チャネル品質メトリックを定義するときに他の測定値よりも大きい影響を与えるように重み付けされ得る。
【００４６】
いくつかの例示的実施形態において、受信機ダイバーシティ制御モジュール２１８は、特定の閾値ゲートウェイデータトラフィックパターンが観察された場合のみ、測定されたチャネル品質に基づき適応的に受信機ダイバーシティを無効／有効にするための閾値を適用するように構成され得る。例えば、いくつかの実施形態では、閾値を下回るスケジューリングレート、閾値を下回るデータレートなどのゲートウェイ閾値を満たさない限り、適応的に受信機ダイバーシティを無効にするための閾値チャネル品質メトリックを全く適用することなく、受信機ダイバーシティを有効なままにすることができる。
【００４７】
図３は、いくつかの例示的実施形態に係る、受信機ダイバーシティを適応的に無効にするための例示的方法に係るフローチャートを示す。この点に関し、図３は、無線通信デバイス１０２によって実行され得る方法を示している。例えば、処理回路２１０、プロセッサ２１２、メモリ２１４、送受信機２１６又は受信機ダイバーシティ制御モジュール２１８のうちの１つ以上が、図３に例示されており、かつ同図に関して説明されている動作を実行するための手段を提供することができる。
【００４８】
動作３００は、無線通信デバイス１０２が無線通信デバイス１０２上のアクティブデータトラフィックパターンを判別することを含み得る。いくつかの例示的実施形態において、動作３００は、アクティブデータトラフィックパターンを判別するために、無線通信デバイス１０２によって送信及び／又は受信され得るデータトラフィックを観察することを含み得る。追加で、又は代替として、動作３００は、無線通信デバイス１０２上のアクティブアプリケーション（複数可）を判別することと、アクティブアプリケーション（複数可）に関連付けられたデータトラフィックパターンを判別することと、を含み得る。更なる例として、いくつかの例示的実施形態では、アプリケーション層が、物理層などのより下の層に、アプリケーション層によって観察可能であり、かつ／又はさもなければ認識されているアクティブデータトラフィックパターンについて通知することができる。
【００４９】
動作３１０は、無線通信デバイス１０２が、アクティブデータトラフィックパターンに対する閾値ＱｏＳをサポートするために必要な閾値チャネル品質に少なくとも部分的に基づき、閾値チャネル品質メトリックを定義することを含み得る。例えば、動作３１０は、アクティブデータトラフィックパターンに対する閾値ＱｏＳをサポートするために必要な最小ＣＱＩを少なくとも維持するために必要なチャネル品質に少なくとも部分的に基づき、閾値チャネル品質メトリックを定義することを含み得る。いくつかの例示的実施形態において、閾値チャネル品質メトリックは閾値ＳＩＮＲであり得る。
【００５０】
動作３１０において、閾値チャネル品質メトリックを定義し得る基準となる閾値ＱｏＳは、例えば、所与のデータトラフィックパターンに対する許容可能なパケット損失率及び／又はスループットを維持するのに十分な最小チャネル品質に少なくとも部分的に基づき、定義することができる。いくつかの例示的実施形態において、閾値ＱｏＳは、例えば、アクティブデータトラフィックパターンに対する許容可能なパケット遅延（例えば、許容可能な１トリップ遅延、ＲＴＴなど）、許容可能なパケット損失率、許容可能な最小スループットなどを単位として定義することができる。
【００５１】
閾値チャネル品質メトリックが適応的に定義され得るいくつかの例示的実施形態において、閾値チャネル品質メトリックは、サービング基地局における負荷の測定された指標にさらに基づき定義され得る。例えば、閾値チャネル品質メトリックは、測定されたＲＴＴ、測定されたＰＬＲなどのアプリケーション層測定値に少なくとも部分的に基づき定義及び／又はさもなければ修正され得る。別の例として、閾値チャネル品質メトリックは、観察され得るＲＬＣセグメンテーションの量によって定義及び／又はさもなければ修正され得る。
【００５２】
動作３２０は、無線通信デバイス１０２が、測定されたチャネル品質を閾値チャネル品質メトリックと比較することを含み得る。動作３３０は、無線通信デバイス３３０が、測定されたチャネル品質メトリックが閾値チャネル品質メトリックを満たす場合に受信機ダイバーシティを無効にすることを含み得る。例えば、閾値チャネル品質メトリックが閾値ＳＩＮＲである実施形態では、測定されたＳＩＮＲが閾値ＳＩＮＲを上回る場合に、受信機ダイバーシティを無効にすることができる。
【００５３】
いくつかの例示的実施形態では、動作３３０をオーバーライドするために、アプリケーション層閾値測定値を定義することができる。この点に関し、いくつかの実施形態において、測定されたアプリケーション層測定値が閾値アプリケーション層測定値を満たさない場合は、動作３３０は省略することができ、かつ／又は、受信機ダイバーシティが無効になっている場合は、受信機ダイバーシティを、再度有効にすることができる。例えば、いくつかの例示的実施形態において、受信機ダイバーシティは、たとえ測定されたチャネル品質が閾値チャネル品質メトリックを満たす場合でも、測定されたＲＴＴが閾値ＲＴＴを上回る場合に、再度有効にすることができる。別の例として、いくつかの実施形態では、たとえ測定されたチャネル品質が閾値チャネル品質メトリックを満たす場合でも、測定されたＰＬＲが閾値ＰＬＲを上回る場合に、受信機ダイバーシティを再度有効にすることができる。
【００５４】
いくつかの例示的実施形態では、複数の閾値チャネル品質メトリックを定義することができる。この点に関し、受信機ダイバーシティを無効にするための第１の閾値チャネル品質メトリックを定義することができ、かつ受信機ダイバーシティを有効にするための第２の閾値チャネル品質メトリックを定義することができる。したがって、例えば、動作３３０の実行後、後続の測定されたチャネル品質が、受信機ダイバーシティを有効にするための閾値チャネル品質メトリックを満たさない（例えば、測定されたＳＩＮＲを閾値ＳＩＮＲと比較し得るいくつかの実施形態において下回る）場合、受信機ダイバーシティを再度有効にすることができる。受信機ダイバーシティを有効にするための閾値チャネル品質メトリックは、ヒステリシス効果を回避するために、受信機ダイバーシティを無効にするための閾値チャネル品質メトリックとは異なるものであり得る。例えば、受信機ダイバーシティを有効にするための閾値ＳＩＮＲは、ヒステリシス効果を回避するために、受信機ダイバーシティを無効にするための閾値ＳＩＮＲよりも低いものであり得る。しかしながら、いくつかの例示的実施形態は、代わりに単一の閾値を使用することができ、その閾値に基づき、受信機ダイバーシティを有効／無効にし得ることが理解されよう。
【００５５】
いくつかの例示的実施形態では、閾値通過条件が満たされていない場合、動作３１０〜３３０のうちの１つ以上が省略され得る。例えば、いくつかの例示的実施形態では、閾値ゲートウェイデータトラフィックパターンが動作３００において観察されなかった場合、動作３１０及び／又は動作３２０が省略され得る。この点に関し、いくつかの実施形態では、閾値を下回るスケジューリングレート、閾値を下回るデータレートなどのゲートウェイデータトラフィックパターン閾値が満たされない限り、適応的に受信機ダイバーシティを無効にするための閾値チャネル品質メトリックを全く適用することなく、受信機ダイバーシティを有効なままにすることができる。
【００５６】
図４は、いくつかの例示的実施形態に係る、受信機ダイバーシティを適応的に有効にするための例示的方法に係るフローチャートを示す。この点に関し、図４は、無線通信デバイス１０２によって実行され得る方法を示している。例えば、処理回路２１０、プロセッサ２１２、メモリ２１４、送受信機２１６又は受信機ダイバーシティ制御モジュール２１８のうちの１つ以上が、図４に例示されており、かつ同図に関して説明されている動作を実行するための手段を提供することができる。
【００５７】
図４を参照すると、最初の状態４００において、受信機ダイバーシティは無効であり得る。例えば、状態４００は、動作３３０において受信機ダイバーシティを無効にすることの後に生じ得る。動作４１０は、無線通信デバイス１０２がチャネル品質メトリックを測定することを含み得る。測定されたチャネル品質メトリックは、例えば、ＳＩＮＲ、測定されたパケット遅延（例えば、測定されたＲＴＴ、測定された１トリップ遅延など）、測定されたＰＬＲ、測定されたスループットなどであり得る。
【００５８】
動作４２０は、無線通信デバイス１０２が、測定されたチャネル品質メトリックを閾値チャネル品質メトリックと比較することを含み得る。閾値チャネル品質メトリックは、測定されたチャネル品質メトリックに対応するメトリックであり得る。例えば、測定されたチャネル品質メトリックが測定されたＳＩＮＲである実施形態において、閾値チャネル品質メトリックは閾値ＳＩＮＲであり得る。
【００５９】
閾値チャネル品質メトリックは、少なくとも部分的にアクティブデータトラフィックパターンに基づき定義され得、かつ／又はさもなければアクティブデータトラフィックパターンに対応し得る。いくつかの例示的実施形態では、動作４２０において受信機ダイバーシティを有効にするために評価され得る閾値チャネル品質メトリックが、動作３２０などにおいて、受信機ダイバーシティを無効にするために適用され得る閾値チャネル品質メトリックと同一であり得る。代替として、いくつかの例示的実施形態では、動作４２０において受信機ダイバーシティを有効にするために評価され得る閾値チャネル品質メトリックが、ヒステリシス効果を回避するために、受信機ダイバーシティを無効にするために適用され得る閾値チャネル品質メトリックと異なる値を有することができる。例えば、動作４２０において受信機ダイバーシティを有効にするために評価され得る閾値チャネル品質メトリックが閾値ＳＩＮＲであるいくつかの実施形態では、閾値ＳＩＮＲが、受信機ダイバーシティを無効にするために適用され得る閾値ＳＩＮＲよりも低い値を有することができる。
【００６０】
動作４３０は、無線通信デバイス１０２が、測定されたチャネル品質メトリックが閾値チャネル品質メトリックを満たさない場合に受信機ダイバーシティを有効にすることを含み得る。いくつかの例示的実施形態において、無線通信デバイス１０２は、動作４３０において受信機ダイバーシティを有効にした後、動作３００、３１０又は３２０のうちのいずれかに戻り、図３に例示され、かつ同図に関して説明されている方法を実行することができる。この点に関し、いくつかの例示的実施形態において、受信機ダイバーシティは、変化するチャネル状態及び／又は変化するデータトラフィックパターンに応じて、適応的かつ継続的に有効及び無効にされ得る。
【００６１】
図５は、いくつかの例示的実施形態に係る、受信機ダイバーシティを適応的に無効にするための別の例示的方法に係るフローチャートを示す。この点に関し、図５は、物理層閾値チャネル品質に基づく受信機ダイバーシティの無効化がアプリケーション層測定値に基づきオーバーライドされ得る、いくつかの例示的実施形態に係る方法を示す。図５に例示されており、かつ同図に関して説明されている動作は、無線通信デバイス１０２によって実行され得る。例えば、処理回路２１０、プロセッサ２１２、メモリ２１４、送受信機２１６又は受信機ダイバーシティ制御モジュール２１８のうちの１つ以上が、図５に例示されており、かつ同図に関して説明されている動作を実行するための手段を提供することができる。
【００６２】
図５を参照すると、初期状態５００において、受信機ダイバーシティは有効であり得る。動作５１０は、無線通信デバイス１０２がチャネル品質メトリックを測定することを含み得る。測定されたチャネル品質メトリックは、例えば、測定されたＳＩＮＲ、又は物理層において測定され得る、かつ／若しくはさもなければ観察され得る他のチャネル品質メトリックであり得る。動作５２０は、無線通信デバイス１０２が、測定されたチャネル品質が受信機ダイバーシティを無効にするための閾値チャネル品質メトリックを満たすかどうかを判定することを含み得る。例えば、測定されたチャネル品質メトリックが測定されたＳＩＮＲである場合、動作５２０は、無線通信デバイス１０２が、測定されたＳＩＮＲが閾値ＳＩＮＲを上回るかどうかを判定することを含み得る。
【００６３】
動作５３０は、無線通信デバイス１０２が、測定されたアプリケーション層測定値を閾値アプリケーション層測定値と比較することを含み得る。測定されたアプリケーション層測定値は、例えば、アプリケーション層において測定され得る、かつ／又はさもなければ観察され得る、認識されたＱｏＳの指標であり得る。例えば、測定されたアプリケーション層測定値は、測定されたＲＴＴ、測定されたＰＬＲなどであり得る。
【００６４】
動作５４０は、無線通信デバイス１０２が、測定されたアプリケーション層測定値が閾値アプリケーション層測定値を満たさない場合に受信機ダイバーシティの使用を継続する（例えば、受信機ダイバーシティを有効なままにする）ことを含み得る。したがって、例えば、測定されたＲＴＴが閾値ＲＴＴを上回る場合、測定されたＰＬＲが閾値ＰＬＲを上回る場合などに、受信機ダイバーシティを有効なままにすることができる。しかしながら、測定されたアプリケーション層測定値が閾値アプリケーション層測定値を満たす場合は、受信機ダイバーシティを無効にすることができる。この点に関し、そのような例示的実施形態では、アプリケーション層において観察されたＱｏＳがアプリケーション層基準を満たさない場合、アプリケーション層基準を適用することにより、受信機ダイバーシティを無効にするための物理層基準をオーバーライドすることができる。
【００６５】
図６は、いくつかの例示的実施形態に係る、閾値チャネル品質メトリックを適応的に定義するための別の例示的方法に係るフローチャートを示す。この点に関し、図６は、無線通信デバイス１０２によって実行され得る方法を示している。例えば、処理回路２１０、プロセッサ２１２、メモリ２１４、送受信機２１６又は受信機ダイバーシティ制御モジュール２１８のうちの１つ以上が、図６に例示されており、かつ同図に関して説明されている動作を実行するための手段を提供することができる。
【００６６】
動作６００は、無線通信デバイス１０２がアクティブデータトラフィックパターンを判別することを含み得る。動作６００は、例えば、図３に例示され、同図に関して説明されている動作３００に対応し得る。動作６１０は、無線通信デバイス１０２が、少なくとも部分的に、アクティブデータトラフィックパターンに対する閾値サービス品質をサポートするために必要な閾値チャネル品質に基づき、閾値チャネル品質メトリックを定義することを含み得る。閾値チャネル品質メトリックは、受信機ダイバーシティを無効にするための閾値チャネル品質メトリック及び／又は受信機ダイバーシティを有効にするための閾値チャネル品質メトリックを含み得る。この点に関し、動作６１０は、図３に例示され、同図に関して説明されている動作３１０に対応し得る。
【００６７】
動作６２０は、無線通信デバイス１０２がサービング基地局１０４における負荷の指標を判定することを含み得る。サービング基地局１０４における負荷の指標は、無線通信デバイス１０２によって測定又はさもなければ観察され得る負荷の任意の指標であり得る。例えば、いくつかの例示的実施形態において、動作６２０は、無線通信デバイス１０２がＲＴＴ、ＰＬＲなどのアプリケーション層のＱｏＳ測定値を判定することを含み得る。別の例として、いくつかの例示的実施形態では、動作６２０が、任意のＲＬＣセグメンテーションが観察されたかどうか、及び／又は観察されたＲＬＣセグメンテーションの量を判定することを含み得る。しかしながら、種々の例示的実施形態によれば、無線通信デバイス１０２によって測定又はさもなければ観察され得る、サービング基地局１０４における負荷の他の指標が、アプリケーション層のＱｏＳ測定値及び／又はＲＬＣセグメンテーションに加えて、又はその代替として使用され得ることが理解されよう。
【００６８】
動作６３０は、無線通信デバイス１０２が少なくとも部分的に、サービング基地局１０４に対する負荷のレベルに基づき閾値チャネル品質メトリックを適応的に修正することを含み得る。
【００６９】
例えば、閾値チャネル品質メトリックがＳＩＮＲ閾値（複数可）であり、かつアプリケーション層のＱｏＳ測定値が動作６２０において判定されている場合、動作６３０は、無線通信デバイス１０２が少なくとも部分的に、観察されたアプリケーション層のＱｏＳ測定値に基づきＳＩＮＲ閾値を修正することを含み得る。例えば、ＲＴＴが増加し始めた場合、ＳＩＮＲｒｘｄ＿ｄｉｓａｂｌｅ閾値は増加され得、かつ／又はＳＩＮＲｒｘｄ＿ｅｎａｂｌｅ閾値は低減され得る。非制限的な例として、いくつかの例示的実施形態では、動作６３０が少なくとも部分的に、以下のようにサービング基地局１０４に対する負荷を示すアプリケーション層測定値に基づき、適応的に閾値ＳＩＮＲを定義することを含み得る。
ＲＴＴｍｅａｓ≧ＲＴＴｈｉｇｈ＿ｔｈｒｅｓの場合、
ＳＩＮＲｒｘｄ＿ｄｉｓａｂｌｅ＝ｍｉｎ（αＳＩＮＲｒｘｄ＿ｄｉｓａｂｌｅ，ＳＩＮＲｍａｘ）；
ＲＴＴｍｅａｓ≦ＲＴＴｌｏｗ＿ｔｈｒｅｓの場合、
ＳＩＮＲｒｘｄ＿ｅｎａｂｌｅ＝ｍａｘ（βＳＩＮＲｒｘｄ＿ｅｎａｂｌｅ，ＳＩＮＲｍｉｎ）；
α＞１、β＜１
【００７０】
別の例として、閾値チャネル品質メトリックがＳＩＮＲ閾値（複数可）であり、かつＲＬＣセグメンテーションが動作６２０において観察されている場合、動作６３０は、無線通信デバイス１０２が少なくとも部分的に、観察されたＲＬＣセグメンテーションに基づき適応的に閾値ＳＩＮＲを修正することを含み得る。非制限的な例として、ＲＬＣセグメンテーションの検出に応じ、いくらかのマージン分だけ、ＳＩＮＲｒｘｄ＿ｄｉｓａｂｌｅが増加され得、かつ／又はＳＩＮＲｒｘｄ＿ｅｎａｂｌｅが低減され得る。別の例として、セグメント化されていないパケットを閾値の数だけ検出した後、いくらかのマージン分だけ、ＳＩＮＲｒｘｄ＿ｄｉｓａｂｌｅを低減する、かつ／又はＳＩＮＲｒｘｄ＿ｅｎａｂｌｅを増加させることなどによって、ＳＩＮＲ閾値を修正し得る。
【００７１】
いくつかの例示的実施形態において、図６に係る方法は、動作６３０の実行後、動作６２０に戻ることができる。この点に関し、いくつかの例示的実施形態において、受信機ダイバーシティを有効／無効にするための閾値チャネル品質メトリックの適応的定義は、チャネルの状態、データトラフィックパターンなどの変化に従った継続的なプロセスであり得る。
【００７２】
説明される実施形態の様々な態様、実施形態、実装又は特徴は、個別に若しくは任意の組み合わせで使用することができる。説明される実施形態の様々な態様は、ソフトウェア、ハードウェア又はハードウェアとソフトウェアとの組み合わせによって実施することができる。コンピュータ可読媒体は、後にコンピュータシステムによって読み出すことが可能なデータを記憶することができる、任意のデータ記憶装置である。コンピュータ可読媒体の例としては、読み出し専用メモリ、ランダムアクセスメモリ、ＣＤ−ＲＯＭ、ＨＤＤ、ＤＶＤ、磁気テープ、及び光学的データ記憶装置が挙げられる。コンピュータ可読媒体はまた、ネットワーク結合されたコンピュータシステム上に分散させることもでき、コンピュータ可読コードが分散方式で記憶及び実行される。
【００７３】
上述の説明は、説明の目的上、具体的な専門用語を使用することにより、説明される実施形態の完全な理解を提供するものであった。しかしながら、それらの具体的詳細は、説明される実施形態を実践するために必須のものではないことが、当業者には明らかとなるであろう。それゆえ、上述の具体的な実施形態の説明は、例示及び説明の目的のために提示される。それらの説明は、網羅的であることも、又は説明される実施形態を開示される厳密な形態に限定することも意図してはいない。上記の教示を考慮して、多くの修正形態及び変形形態が可能であることが、当業者には明らかとなるであろう。
【図１】
2016516340.tif 000005
【図２】
2016516340.tif 000006
【図３】
2016516340.tif 000007
【図４】
2016516340.tif 000008
【図５】
2016516340.tif 000009
【図６】
2016516340.tif 000010
【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
適応的に受信機ダイバーシティを無効にするための方法であって、前記方法は、無線通信デバイスが、
アクティブデータトラフィックパターンを判別することと、
前記アクティブデータトラフィックパターンに対する閾値サービス品質をサポートするために必要な閾値チャネル品質に少なくとも部分的に基づき閾値チャネル品質メトリックを定義することと、
測定されたチャネル品質を前記閾値チャネル品質メトリックと比較することと、
前記測定されたチャネル品質メトリックが前記閾値チャネル品質メトリックを満たす場合に受信機ダイバーシティを無効にすることと、
を含むことを特徴とする方法。
【請求項２】
前記アクティブデータトラフィックパターンを判別することは、前記無線通信デバイス上で実行されているアクティブなアプリケーションに関連付けられたデータトラフィックパターンを判別することを含む、
ことを特徴とする請求項１に記載の方法。
【請求項３】
前記閾値チャネル品質メトリックを定義することは、前記アクティブデータトラフィックパターンに対する前記閾値サービス品質をサポートするために必要な最小チャネル品質インジケータ（ＣＱＩ）を少なくとも維持するために必要なチャネル品質に少なくとも部分的に基づき、前記閾値チャネル品質メトリックを定義することを含む、
ことを特徴とする請求項１に記載の方法。
【請求項４】
前記閾値チャネル品質メトリックを定義することは、閾値信号対干渉雑音比（ＳＩＮＲ）を定義することを含み、かつ前記測定されたチャネル品質を前記閾値チャネル品質メトリックと比較することは、測定されたＳＩＮＲを前記閾値ＳＩＮＲと比較することを含む、
ことを特徴とする請求項１に記載の方法。
【請求項５】
前記閾値チャネル品質メトリックを定義することは、アプリケーション層のサービス品質（ＱｏＳ）測定値にさらに基づき、前記閾値チャネル品質メトリックを定義することを含む、
ことを特徴とする請求項１に記載の方法。
【請求項６】
前記アプリケーション層のＱｏＳ測定値にさらに基づき前記閾値チャネル品質メトリックを定義することは、前記アプリケーション層において測定された、測定されたラウンドトリップタイム（ＲＴＴ）に基づき前記閾値チャネル品質メトリックを定義することを含む、
ことを特徴とする請求項５に記載の方法。
【請求項７】
前記アプリケーション層のＱｏＳ測定値にさらに基づき前記閾値チャネル品質メトリックを定義することは、前記アプリケーション層において測定された、測定パケット損失率（ＰＬＲ）に基づき前記閾値チャネル品質メトリックを定義することを含む、
ことを特徴とする請求項５に記載の方法。
【請求項８】
前記閾値チャネル品質メトリックを定義することは、サービング基地局における負荷の測定された指標にさらに基づき、前記閾値チャネル品質メトリックを定義することを含む、
ことを特徴とする請求項１に記載の方法。
【請求項９】
受信機ダイバーシティを無効にすることの後に、
第２の測定されたチャネル品質を第２の閾値チャネル品質メトリックと比較することと、
前記第２の測定されたチャネル品質メトリックが前記第２の閾値チャネル品質メトリックを満たさない場合に受信機ダイバーシティを有効にすることと、
をさらに含むことを特徴とする請求項１に記載の方法。
【請求項１０】
前記測定されたチャネル品質メトリックが前記閾値チャネル品質メトリックを満たす場合であっても、測定されたアプリケーション層測定値が閾値アプリケーション層測定値を満たさない場合に受信機ダイバーシティを有効にすることをさらに含む、
ことを特徴とする請求項１に記載の方法。
【請求項１１】
前記測定されたアプリケーション層測定値が前記閾値アプリケーション層測定値を満たさない場合に受信機ダイバーシティを有効にすることは、測定されたラウンドトリップタイム（ＲＴＴ）が閾値ＲＴＴを上回る場合に受信機ダイバーシティを有効にすることを含む、
ことを特徴とする請求項１０に記載の方法。
【請求項１２】
前記測定されたアプリケーション層測定値が前記閾値アプリケーション層測定値を満たさない場合に受信機ダイバーシティを有効にすることは、測定されたパケット損失率（ＰＬＲ）が閾値ＰＬＲを上回る場合に受信機ダイバーシティを有効にすることを含む、
ことを特徴とする請求項１０に記載の方法。
【請求項１３】
無線通信デバイスであって、
無線ネットワークを介してデータを送受信するように構成された送受信機と、
前記送受信機に連結された処理回路であって、前記無線通信デバイスを制御して、少なくとも、
アクティブデータトラフィックパターンを判別し、
前記アクティブデータトラフィックパターンに対する閾値サービス品質をサポートするために必要な閾値チャネル品質に少なくとも部分的に基づき閾値チャネル品質メトリックを定義し、
測定されたチャネル品質を前記閾値チャネル品質メトリックと比較し、
前記測定されたチャネル品質メトリックが前記閾値チャネル品質メトリックを満たす場合に受信機ダイバーシティを無効にする
ように構成された処理回路と、
を備えることを特徴とする無線通信デバイス。
【請求項１４】
前記処理回路は、前記無線通信デバイスを制御して、前記アクティブデータトラフィックパターンに対する閾値サービス品質をサポートするために必要な最小チャネル品質インジケータ（ＣＱＩ）を少なくとも維持するために必要なチャネル品質に少なくとも部分的に基づき、前記閾値チャネル品質メトリックを定義するように構成されたことを特徴とする請求項１３に記載の無線通信デバイス。
【請求項１５】
前記処理回路は、前記無線通信デバイスを制御して、
少なくとも部分的に、閾値信号対干渉雑音比（ＳＩＮＲ）を定義することによって前記閾値品質メトリックを定義し、
少なくとも部分的に、測定されたＳＩＮＲを前記閾値ＳＩＮＲと比較することによって、前記測定されたチャネル品質を前記閾値チャネル品質メトリックと比較するように構成されたことを特徴とする請求項１３に記載の無線通信デバイス。
【請求項１６】
前記処理回路は、前記無線通信デバイスを制御して、アプリケーション層のサービス品質（ＱｏＳ）測定値にさらに基づき、前記閾値チャネル品質メトリックを定義するようにさらに構成されたことを特徴とする請求項１３に記載の無線通信デバイス。
【請求項１７】
前記処理回路は、前記無線通信デバイスを制御して、サービング基地局における負荷の測定された指標にさらに基づき、前記閾値チャネル品質メトリックを定義するようにさらに構成されたことを特徴とする請求項１３に記載の無線通信デバイス。
【請求項１８】
前記処理回路は、前記無線通信デバイスを制御して、前記測定されたチャネル品質メトリックが前記閾値チャネル品質メトリックを満たす場合であっても、測定されたアプリケーション層測定値が閾値アプリケーション層測定値を満たさない場合に受信機ダイバーシティを有効にするようにさらに構成されたことを特徴とする請求項１３に記載の無線通信デバイス。
【請求項１９】
受信機ダイバーシティを適応的に無効にするためのプログラムコードを含むコンピュータプログラムであって、前記コンピュータプログラムコードは、
アクティブデータトラフィックパターンを判別するためのプログラムコードと、
前記アクティブデータトラフィックパターンに対する閾値サービス品質をサポートするために必要な閾値チャネル品質に少なくとも部分的に基づき閾値チャネル品質メトリックを定義するためのプログラムコードと、
測定されたチャネル品質を前記閾値チャネル品質メトリックと比較するためのプログラムコードと、
測定されたチャネル品質メトリックが前記閾値チャネル品質メトリックを満たす場合に受信機ダイバーシティを無効にするためのプログラムコードと、
を含む、
ことを特徴とするコンピュータプログラム。
【請求項２０】
前記閾値チャネル品質メトリックを定義するための前記プログラムコードが、アプリケーション層のサービス品質（ＱｏＳ）測定値にさらに基づき、前記閾値チャネル品質メトリックを定義するためのプログラムコードを含む、
ことを特徴とする請求項１９に記載のコンピュータプログラム。
【国際調査報告】
2016516340.tif 000011
2016516340.tif 000012
2016516340.tif 000013